(57)【要約】      （修正有）【課題】内燃機関の始動に際し、気筒判別を完遂できる内燃機関の制御装置を提供する。【解決手段】カム角信号の検出個数を計数するカム角信号検出カウンタ部と、クランク角信号の検出個数を計数するカウンタ部であって、カム角信号の検出を契機としてクランク角信号の検出個数の計数を開始し、その計数しているクランク角信号の検出個数が上限値に達した場合には前記カム角信号検出カウンタ部の検出個数をリセットしてクランク角信号の計数を終了し、かつ、クランク角信号の検出個数を計数している間にカム角信号が検出されるとクランク角信号の検出個数を所定数減じるクランク角信号検出カウンタ部と、クランク角信号に含まれるパルスの欠損に基づいて定められるタイミングでカム角信号検出カウンタ部の検出個数を参照し、各気筒の行程を判別する気筒判別部とを備えた。【選択図】図６
2015021385.tif 000002
【特許請求の範囲】
【請求項１】
クランクシャフトに付随するクランク角センサが、クランクシャフトが単位角度回転する毎にクランク角信号を出力しつつ、クランクシャフトの特定の回転位相角においてはそのクランク角信号を出力せずに欠損させるものであり、
クランクシャフトに従動して回転し吸気バルブまたは排気バルブを開閉駆動するカムシャフトに付随するカム角センサが、カムシャフトが単位角度回転する毎に基本カム角信号を出力することに加えて、カムシャフトの特定の回転位相角において追加カム角信号を出力するものである内燃機関を制御する制御装置であって、
カム角信号の検出個数を計数するカム角信号検出カウンタ部と、
クランク角信号の検出個数を計数するカウンタ部であって、カム角信号の検出を契機としてクランク角信号の検出個数の計数を開始し、その計数しているクランク角信号の検出個数が上限値に達した場合には前記カム角信号検出カウンタ部の検出個数をリセットしてクランク角信号の計数を終了し、かつ、クランク角信号の検出個数を計数している間にカム角信号が検出されるとクランク角信号の検出個数を所定数減じるクランク角信号検出カウンタ部と、
クランク角信号に含まれるパルスの欠損に基づいて定められるタイミングでカム角信号検出カウンタ部の検出個数を参照し、各気筒の行程を判別する気筒判別部とを備えたことを特徴とする内燃機関の制御装置。
【発明の詳細な説明】
【技術分野】
【０００１】
本発明は、始動の際の各気筒の行程の判別を適時に行い得る内燃機関の制御装置に関する。
【背景技術】
【０００２】
複数の気筒を備える４ストローク内燃機関では、各気筒が現在どの行程にあるのかを知得して、燃料噴射制御及び点火制御を実施する必要がある。内燃機関の運転制御を司るＥＣＵ（Ｅｌｅｃｔｒｏｎｉｃ  Ｃｏｎｔｒｏｌ  Ｕｎｉｔ）は、内燃機関を始動する際のクランキングに伴い発生するクランク角信号（Ｎ信号）及びカム角信号（Ｇ信号）を受信して各気筒の行程を判別し、しかる後に各気筒毎の行程に合わせた燃料噴射（同期噴射）及び点火を開始する。
【０００３】
尤も、内燃機関を可及的速やかに始動させる必要から、近時では、クランキングの開始と略同時に全ての気筒に一斉に燃料を噴射（非同期噴射）することが通例となっている（例えば、下記特許文献を参照）。予め非同期噴射を実施しておくことにより、気筒判別の完了直後に点火タイミングすなわち圧縮上死点を迎えた気筒に対し、同期噴射による燃料噴射を待つことなく即座に点火することが可能となり、クランキング期間の短縮に資する。
【０００４】
図１０は、従来のクランク角信号及びカム角信号の配列を示している。クランク角信号を出力するクランク角センサは、クランクシャフトと一体となって回転するロータの回転角度をセンシングする。そのロータには、クランクシャフトの回転方向に沿った所定角度毎に、歯または突起が形成されている。典型的には、クランクシャフトが１０°回転する毎に、歯または突起が配置される。クランク角センサは、ロータの外周に臨み、個々の歯または突起が当該センサの近傍を通過することを検知して、その都度クランク角信号としてパルス信号を発信する。
【０００５】
但し、クランクシャフトが一回転する間に三十六回のパルスを出力するわけではない。クランクシャフトのロータの歯または突起は一部欠けており、その欠歯部分に起因して、クランク角信号のパルス列もまた一部が欠損する。図示例では、十七番目、十八番目、二十番目、二十一番目、三十五番目及び三十六番目に該当するパルスが欠損している。この欠損を基にして、クランクシャフトの絶対的な角度を知ることが可能である。欠損した三十六番目のパルスの次の一番目のパルスのタイミングを０°ＣＡとおくと、欠損した十八番目のパルスに続く十九番目のパルスのタイミングが１８０°ＣＡということになる。
【０００６】
カム角信号を出力するカム角センサは、吸気カムシャフトと一体となって回転するロータの回転角度をセンシングする。そのロータには、カムシャフトの一回転を気筒数で割った角度毎に、歯または突起が形成されている。三気筒エンジンの場合、カムシャフトが１２０°回転する毎に、歯または突起が配置される。カムシャフトは、巻掛伝動機構等を介してクランクシャフトから回転駆動力の伝達を受けて回転するもので、その回転速度はクランクシャフトの二分の一である。故に、上記の歯または突起は、クランク角度に換算すれば２４０°ＣＡ毎に配置されていることになる。
【０００７】
カム角センサは、ロータの外周に臨み、個々の歯または突起が当該センサの近傍を通過することを検知して、その都度カム角信号としてパルス信号を発信する。図示例において、カム角信号は、各気筒の圧縮上死点の近傍、または圧縮上死点からあるクランク角度だけ進角側に偏倚したタイミングを示唆している。
【０００８】
従来の気筒判別方法は、以下の通りである。すなわち、内燃機関の制御装置は、カム角信号の検出個数を計数するカム角信号検出カウンタ部と、クランク角信号の検出個数を計数するクランク角信号検出カウンタ部と、クランク角信号に含まれるパルスの欠損に基づいて定められるタイミングでカム角信号検出カウンタ部の検出個数を参照して各気筒の行程を判別する気筒判別部とを備えている。なお、図１０では、各ケースにおけるカム角信号の下方に上下２段の数列を記載している。上段（例えば、「正常なケース」におけるクランク角度０°ＣＡ付近に記載された「０、９、９、９、８、７、６、５、４、３、２、１、０」）は、前記クランク角信号検出カウンタ部によるカウントの一例を示している。一方、下段（例えば、「正常なケース」におけるクランク角度０°ＣＡ付近に記載された「０、１、１、１、１、１、１、１、１、１、１、１、０」）は、前記カム角信号検出カウンタ部によるカウントの一例を示している。
【０００９】
カム角信号検出カウンタ部は、カム角信号の検出個数に応じて「１」ずつ増加させるカウントを行う。
【００１０】
クランク角信号検出カウンタ部は、カム角信号の検出を契機としてクランク角信号の検出個数の計数を開始し、その計数しているクランク角信号の検出個数が上限値に達した場合には前記カム角信号検出カウンタ部の検出個数をリセットしてクランク角信号の計数を終了する。なお、クランク角信号検出カウンタ部は、クランク角信号の検出個数を計数している間にカム角信号が検出されると、クランク角信号の検出個数を初期値に戻す。
【００１１】
具体的には、クランク角信号検出カウンタ部は、減数カウンタであり、カム角信号の検出を契機として「９」からクランク角信号の検出個数に応じて「１」ずつ減ずるカウントを行う。すなわち、従来のクランク角信号検出カウンタ部では、カム角信号の検出後、クランク角信号を９回検出したら（クランク角信号の検出個数が上限値である「９」に達する、換言すれば、クランク角信号のカウンタ値が「０」となったら）、カム角信号検出カウンタ部の検出個数（「１」または「２」）をリセットして、クランク角信号の計数を終了する。カム角信号の検出個数及びクランク角信号の検出個数がリセットされると、次にカム角信号が検出されるまでクランク角信号の計数は行われない。
【００１２】
さらに、従来のクランク角信号検出カウンタ部は、クランク角信号の検出個数を計数している間にカム角信号が検出される場合に、クランク角信号の検出個数を初期値に戻すようにしている。図示例では、クランク角信号検出カウンタ部のカウンタ値を「９」に戻している。すなわち、カム角信号の検出を契機に「９」からカウントが開始され、次のカム角信号の検出によって「９」から再度カウントが開始されることとなる。
【００１３】
そして、気筒判別部は、クランク角信号に含まれるパルスの欠損に基づいて定められるタイミングで、カム角信号検出カウンタ部の検出個数を参照して、各気筒の行程を判別する。このタイミングは、図１０に二点鎖線で示しているように、半サイクルのうち２回到来し、具体的には、
・第１パターン：パルスの単独欠損（欠歯部分に起因する三十五番目及び三十六番目のパルスの欠損）後９０°ＣＡのタイミング、
・第２パターン：パルスの連続欠損（欠歯部分に起因する十七番目、十八番目及び二十番目、二十一番目のパルスの欠損）後３０°ＣＡのタイミング、
で気筒判別を行う。
【００１４】
まず、第１パターンについて説明すれば、クランキングの開始後、カム角信号の検出を契機としてクランク角信号の検出個数のカウントが開始され、その後に迎える気筒判別タイミングで、パルスの単独欠損が検出され、かつ、気筒判別部が参照するカム角信号検出カウンタ部の検出個数が「０」である場合には、第三気筒の圧縮上死点前１５０°ＣＡのタイミングであることが判明する（以下、この判定を「Ａ判定」と言う）。さすれば、その後に訪れる第三気筒の圧縮上死点のタイミングで火花点火を実行し、非同期噴射された燃料に着火して燃焼させる膨張行程を営むことができる。
【００１５】
一方、同じ第１パターンであっても、クランキングの開始後、カム角信号の検出を契機としてクランク角信号の検出個数のカウントが開始され、その後に迎える気筒判別タイミングで、パルスの単独欠損が検出され、かつ、気筒判別部が参照するカム角信号検出カウンタ部の検出個数が「１」または「２」である場合には、第一気筒が圧縮上死点に到達する直前、具体的には第一気筒の圧縮上死点前３０°ＣＡのタイミングであることが判明する（以下、この判定を「Ｂ判定」と言う）。よって、その後に訪れる第一気筒の圧縮上死点のタイミングで火花点火を実行し、非同期噴射された燃料に着火して燃焼させる膨張行程を営むことができる。
【００１６】
次に、第２パターンについて説明すれば、クランキングの開始後、カム角信号の検出を契機としてクランク角信号の検出個数のカウントが開始され、その後に迎える気筒判別タイミングで、パルスの連続欠損が検出され、かつ、気筒判別部が参照するカム角信号検出カウンタ部の検出個数が「１」である場合には、第三気筒の圧縮上死点に到達したタイミングであることが判明する（以下、この判定を「Ｃ判定」と言う）。このとき、第三気筒にて火花点火を実行し、非同期噴射された燃料に着火して燃焼させる膨張行程を営むことができる。
【００１７】
一方、同じ第２パターンであっても、クランキングの開始後、カム角信号の検出を契機としてクランク角信号の検出個数のカウントが開始され、その後に迎える気筒判別タイミングで、パルスの連続欠損が検出され、かつ、気筒判別部が参照するカム角信号検出カウンタ部の検出個数が「０」である場合には、第二気筒の圧縮上死点前１２０°ＣＡのタイミングであることが判明する（以下、この判定を「Ｄ判定」と言う）。よって、その後に訪れる第二気筒の圧縮上死点のタイミングで火花点火を実行し、非同期噴射された燃料に着火して燃焼させる膨張行程を営むことができる。
【００１８】
ところで、このような内燃機関においては、例えば、各部品の設計のバラツキや、タイミングチェーンの伸び、また可変バルブタイミング機構を有したものであればカムシャフトの回転位相が一定のまま固着されてしまう、等の不具合が生じる可能性がある。このような場合には、カム角信号が正常よりも進角側にずれたタイミングまたは遅角側にずれたタイミングで検出されることになる。例えば、図１０では、以下の４つのケース、すなわち、
・理想的である「正常なケース」、
・進角側にずれた「進みのケース」（具体的には、可変バルブタイミング機構が最も進角した状態（４５°ＣＡ）で固着＋設計のバラツキ（１０°ＣＡ）あり）、
・遅角側にずれた「遅れのケース」（具体的には、タイミングチェーンが伸びた状態（１０°ＣＡ）＋設計のバラツキ（１０°ＣＡ）あり）、
・遅角側に大きくずれた「悪化した遅れのケース」（具体的には、タイミングチェーンが伸びた状態（１０°ＣＡ）＋設計バラツキ（１０°ＣＡ）あり＋制御遅れ（２０°ＣＡ））
を示している。
【００１９】
これらのケースを比較してみると、従来の制御方法であっても、カム角信号の進角側へのずれや遅角側のずれに概ね対応できるようになっている。すなわち、カム角信号の検出が「正常なケース」と異なるものであっても、多くの場合、「正常なケース」と同じカム角信号検出カウンタ部の検出個数を得ることができる。
【００２０】
しかしながら、「正常なケース」と同じカム角信号検出カウンタ部の検出個数を得られず、気筒判別を誤ってしまう場合もある。
【００２１】
具体的には、第１パターンで、カム角信号検出カウンタ部の検出個数が「０」となり、前記Ａ判定がなされるはずであるところ、「悪化した遅れのケース」ではカム角信号検出カウンタ部の検出個数が「１」となり、前記Ｂ判定がなされてしまう。そのため、第一気筒が圧縮上死点に到達する直前であると誤判別され、第三気筒で燃焼が適切に行われずに、再度の気筒判別行程が必要となってしまう。
【００２２】
また、第２パターンで、カム角信号検出カウンタ部の検出個数が「０」となり、前記Ｄ判定がなされるはずであるところ、「悪化した遅れのケース」ではカム角信号検出カウンタ部の検出個数が「１」となり、前記Ｃ判定がなされてしまう。そのため、第三気筒が圧縮上死点であると誤判別され、第二気筒で燃焼が適切に行われずに、再度の気筒判別行程が必要となってしまう。
【００２３】
このように、気筒判別を誤った場合には、内燃機関の再始動時に最初に訪れる気筒の圧縮上死点のタイミングに合わせて点火を実施することができず、その分だけクランキングに費やされる時間が延びることとなる。
【先行技術文献】
【特許文献】
【００２４】
【特許文献１】特開２０１２−０８７７３３号公報
【発明の概要】
【発明が解決しようとする課題】
【００２５】
本発明は、内燃機関の始動に際し、気筒判別を完遂できる内燃機関の制御装置を提供することを所期の目的とする。
【課題を解決するための手段】
【００２６】
本発明の内燃機関の制御装置は、クランクシャフトに付随するクランク角センサが、クランクシャフトが単位角度回転する毎にクランク角信号を出力しつつ、クランクシャフトの特定の回転位相角においてはそのクランク角信号を出力せずに欠損させるものであり、クランクシャフトに従動して回転し吸気バルブまたは排気バルブを開閉駆動するカムシャフトに付随するカム角センサが、カムシャフトが単位角度回転する毎に基本カム角信号を出力することに加えて、カムシャフトの特定の回転位相角において追加カム角信号を出力するものである内燃機関を制御する制御装置であって、カム角信号の検出個数を計数するカム角信号検出カウンタ部と、クランク角信号の検出個数を計数するカウンタ部であって、カム角信号の検出を契機としてクランク角信号の検出個数の計数を開始し、その計数しているクランク角信号の検出個数が上限値に達した場合には前記カム角信号検出カウンタ部の検出個数をリセットしてクランク角信号の計数を終了し、かつ、クランク角信号の検出個数を計数している間にカム角信号が検出されるとクランク角信号の検出個数を所定数減じるクランク角信号検出カウンタ部と、クランク角信号に含まれるパルスの欠損に基づいて定められるタイミングでカム角信号検出カウンタ部の検出個数を参照し、各気筒の行程を判別する気筒判別部とを備えたことを特徴とする。
【発明の効果】
【００２７】
本発明によれば、内燃機関の始動に際し、気筒判別を完遂できる。
【図面の簡単な説明】
【００２８】
【図１】本発明の第１実施形態における車両用内燃機関の全体構成を示す図。
【図２】同実施形態の制御装置が制御する可変バルブタイミング機構を示す図。
【図３】同実施形態の内燃機関に付随するクランク角センサの態様を模式的に示す図。
【図４】同実施形態の内燃機関に付随するカム角センサの態様を模式的に示す図。
【図５】同実施形態のハードウェア資源構成を示す図。
【図６】同実施形態の内燃機関において実行される気筒判別の内容を説明するタイミング図。
【図７】図６の一部を拡大して示すタイミング図。
【図８】図６の一部を拡大して示すタイミング図。
【図９】図６の一部を拡大して示すタイミング図。
【図１０】従来の内燃機関において実行される気筒判別の内容を説明するタイミング図。
【発明を実施するための形態】
【００２９】
本発明の一実施形態を、図面を参照して説明する。図１に、本実施形態における車両用内燃機関の概要を示す。本実施形態における内燃機関は、火花点火式の４ストロークエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００３０】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００３１】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００３２】
図２に示すように、本実施形態における内燃機関では、クランクスプロケット７１、吸気側スプロケット７２及び排気側スプロケット７３にタイミングチェーン７４を巻き掛け、このタイミングチェーン７４により、クランクシャフトからもたらされる回転駆動力を吸気側スプロケット７２を介して吸気カムシャフトに、排気側スプロケット７３を介して排気カムシャフトに、それぞれ伝達している。
【００３３】
その上で、吸気側スプロケット７２と吸気カムシャフトとの間に、可変バルブタイミング機構６を介設している。本実施形態における可変バルブタイミング機構６は、クランクシャフトに対する吸気カムシャフトの回転位相を変化させることにより吸気バルブの開閉タイミングを変化させるものである。
【００３４】
可変バルブタイミング機構６のハウジング６１は、吸気側スプロケット７２に固着しており、吸気側スプロケット７２とハウジング６１とは一体となってクランクシャフトに同期して回転する。これに対し、吸気カムシャフトの一端部に固着したロータ６２は、ハウジング６１内に収納され、吸気側スプロケット７２及びハウジング６１に対して相対的に回動することが可能である。ハウジング６１の内部には、作動液が流出入する複数の流体室が形成され、各流体室は、ロータ６２の外周部に成形されたベーン６２１によって進角室６１２と遅角室６１１とに区画されている。
【００３５】
可変バルブタイミング機構６の液圧（特に、油圧）回路には、オイルパン８１内に蓄えられた作動液が液圧ポンプ８２より供給される。液圧ポンプ８２は、内燃機関からの動力で駆動される。液圧ポンプ８２と可変バルブタイミング機構６との間には、切換制御弁であるＯＣＶ（Ｏｉｌ  Ｃｏｎｔｒｏｌ  Ｖａｌｖｅ）９を設けている。作動液の流量及び方向をこのＯＣＶ９を介して操作することで、オイルパン８１から汲み上げた作動液を進角室６１２または遅角室６１１に選択的に供給することができる。さすれば、ハウジング６１がロータ６２に対して相対回動し、吸気バルブの開閉タイミングを進角または遅角させることができる。
【００３６】
ＯＣＶ９は、いわゆる電磁式の四方向スプール弁である。図２に示すように、ＯＣＶ９は、液圧ポンプ８２の吐出口と接続する供給ポート９１、ハウジング６１の進角室６１２と接続するＡポート９２、ハウジング６１の遅角室６１１と接続するＢポート９３、並びにオイルパン８１と接続するドレインポート９４、９５を有している。ＯＣＶ９のスプールは、進退動作により内部粒体経路を切り換えて、Ａポート９２及びＢポート９３をそれぞれ供給ポート９１、ドレインポート９４、９５の何れかに連通させる。また、スプール９６が中立位置をとるときには内部流体経路が断絶し、Ａポート９２及びＢポート９３を供給ポート９１にもドレインポート９４、９５にも連通させない。図２では、スプール９６が中立位置にある状態を示している。
【００３７】
スプール９６はソレノイド９７によって駆動する。すなわち、制御信号ｍとしてソレノイド９７に入力するパルス電流（または、電圧）のデューティ比に応じて、スプール９６の進退の距離が変化する。制御信号ｍのデューティ比が比較的大きい場合には、液圧ポンプ８２から吐出される作動液圧がＡポート９２を通じて進角室６１２に供給される一方、既に遅角室６１１に貯留していた作動液がＢポート９３を通じてオイルパン８１に向けて流下することとなり、進角室６１２の容積が拡大、遅角室６１１の容積が縮小するようにベーン６２１及びロータ６２が回動する。結果、吸気カムシャフトの回転位相、換言すれば吸気カムシャフトのクランクシャフトに対する変位角が進角して、吸気バルブのバルブタイミングが進角化する。
【００３８】
逆に、制御信号ｍのデューティ比が比較的小さい場合には、液圧ポンプ８２から吐出される作動液圧がＢポート９３を通じて遅角室６１１に供給される一方、既に進角室６１２に貯留していた作動液がＡポート９２を通じてオイルパン８１に向けて流下することとなり、遅角室６１１の容積が拡大、進角室６１２の容積が縮小するようにベーン６２１及びロータ６２が回動する。結果、吸気カムシャフトのクランクシャフトに対する変位角が遅角して、吸気バルブのバルブタイミングが遅角化する。
【００３９】
総じて言えば、制御信号ｍのデューティ比が中立より大きいほど吸気バルブのバルブタイミングが速く進角し、デューティ比が中立より小さいほど吸気バルブのバルブタイミングが速く遅角する。
【００４０】
本実施形態の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００４１】
入力インタフェースには、車両の実車速を検出する車速センサから出力される車速信号ａ、クランクシャフトの回転角度及びエンジン回転数を検出するエンジン回転センサから出力されるクランク角信号（Ｎ信号）ｂ、アクセルペダルの踏込量またはスロットルバルブ３２の開度をアクセル開度（いわば、要求負荷）として検出するセンサから出力されるアクセル開度信号ｃ、ブレーキペダルの踏込量を検出するセンサから出力されるブレーキ踏量信号ｄ、吸気通路３（特に、サージタンク３３）内の吸気温及び吸気圧を検出する温度・圧力センサから出力される吸気温・吸気圧信号ｅ、機関の冷却水温を検出する水温センサから出力される冷却水温信号ｆ、吸気カムシャフトまたは排気カムシャフトの複数のカム角にてカム角センサから出力されるカム角信号（Ｇ信号）ｇ、シフトレバーのレンジを知得するためのセンサ（または、シフトポジションスイッチ）から出力されるシフトレンジ信号ｈ等が入力される。アクセル開度は、いわば要求負荷である。内燃機関の冷却液温は、内燃機関の温度を示唆する。
【００４２】
出力インタフェースからは、点火プラグ１２のイグナイタ１３に対して点火信号ｉ、インジェクタ１１に対して燃料噴射信号ｊ、スロットルバルブ３２に対して開度操作信号ｋ、ＯＣＶ９に対して制御信号ｍ等を出力する。
【００４３】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミングといった各種運転パラメータを決定する。運転パラメータの決定手法自体は、既知のものを採用することが可能である。ＥＣＵ０は、運転パラメータに対応した各種制御信号ｉ、ｊ、ｋ、ｍ
を出力インタフェースを介して印加する。
【００４４】
また、ＥＣＵ０は、内燃機関の始動（冷間始動であることもあれば、アイドリングストップからの復帰であることもある）時において、電動機（スタータモータまたはモータジェネレータ）に制御信号ｓを入力し、電動機によりクランクシャフトを回転させるクランキングを行う。クランキングは、内燃機関が初爆から連爆へと至り、エンジン回転数すなわちクランクシャフトの回転速度が冷却水温等に応じて定まる判定値を超えたときに（完爆したものと見なして）終了する。
【００４５】
ここで、クランク角信号ｂ及びカム角信号ｇに関して補足する。図３に示すように、クランク角センサは、クランクシャフトに固定されクランクシャフトと一体となって回転するロータ７５の回転角度をセンシングするものである。そのロータ７５には、クランクシャフトの回転方向に沿った所定角度毎に、歯または突起７６が形成されている。典型的には、クランクシャフトが１０°回転する毎に、歯または突起７６が配置される。
【００４６】
クランク角センサは、ロータ７５の外周に臨み、個々の歯または突起７６が当該センサの近傍を通過することを検知して、その都度クランク角信号ｂとしてパルス信号を発信する。ＥＣＵ０は、このパルスをクランク角信号ｂとして受信する。
【００４７】
但し、クランク角センサは、クランクシャフトが一回転する間に三十六回のパルスを出力するわけではない。クランクシャフトのロータ７５の歯または突起７６は、その一部が欠けている。図３に示す例では、十七番目、十八番目及び二十番目、二十一番目の欠歯部分７６１、並びに、三十五番目、三十六番目の欠歯部分７６２という、大きく分けて二つの欠歯部分７６１、７６２が存在する。欠歯部分７６１、７６２はそれぞれ、クランクシャフトの特定の回転位相角に対応する。すなわち、連続する欠歯部分７６１は１８０°ＣＡ及び５４０°ＣＡに対応しており、単独の欠歯部分７６２は０°及び３６０°ＣＡに対応している。
【００４８】
そして、図６に示すように、上記の欠歯部分７６１、７６２に起因して、クランク角信号ｂのパルス列もまた一部が欠損する。この欠損を基にして、クランクシャフトの絶対的な角度を知ることが可能である。欠損した三十六番目のパルスの次の一番目のパルスのタイミングを０°ＣＡ（または、３６０°ＣＡ）とおくと、欠損した十八番目のパルスに続く十九番目のパルスのタイミングが１８０°ＣＡ（または、５４０°ＣＡ）ということになる。上記の０°ＣＡのパルスのタイミングは、特定の気筒（図示例では、第二気筒）１の圧縮上死点に略等しい。
【００４９】
図４に示すように、カム角センサもまた、カムシャフトに固定されカムシャフトと一体となって回転するロータ７７の回転角度をセンシングするものである。そのロータ７７には、少なくともカムシャフトの一回転を気筒数で割った角度毎に、歯または突起７８が形成されている。三気筒エンジンの場合、カムシャフトが１２０°回転する毎に、歯または突起７８が配置される。
【００５０】
カムシャフトは、巻掛伝動機構（チェーン及びスプロケット。図示せず）等を介してクランクシャフトから回転駆動力の伝達を受けて回転するもので、その回転速度はクランクシャフトの二分の一である。故に、上記の歯または突起７８は、クランク角度に換算すれば２４０°ＣＡ毎に配置されていることになる。
【００５１】
加えて、本実施形態においては、ロータ７７に、追加的なカム角信号ｇを発生させるための歯または突起７９が、２４０°ＣＡ毎の歯または突起７８の間に一つ設けられる。
【００５２】
カム角センサは、ロータ７７の外周に臨み、個々の歯または突起７８、７９が当該センサの近傍を通過することを検知して、その都度カム角信号ｇとしてパルス信号を発信する。ＥＣＵ０は、このパルスをカム角信号ｇとして受信する。
【００５３】
歯または突起７８に起因して発生する基本カム角信号ｇは、何れかの気筒１が所定の行程に至ったことを表す。吸気カムシャフトにカム角センサが付随している場合、そのカム角センサが出力する基本カム角信号ｇは、図６に示しているように、各気筒１における圧縮上死点の近傍、または圧縮上死点から所定クランク角度（３０°ＣＡないし７０°ＣＡの範囲内の値）だけ進角側に偏倚したタイミングを示唆する。いわゆる位相変化型の可変バルブタイミング機構が付随している内燃機関にあっては、カム角信号ｇが当該機構により調節されるバルブタイミングをも表す。
【００５４】
歯または突起７９に起因して発生する追加カム角信号ｇは、カムシャフト（及び、クランクシャフト）の特定の回転位相角に対応しており、各気筒１の行程を判別するための補助となるものである。図４に示している例では、第一気筒１の圧縮上死点の近傍を表す基本カム角信号ｇのパルスから６０°ＣＡ進角したタイミングに、追加カム角信号ｇのパルスが存在している。クランク角信号ｂのパルス列から明らかとなる６０°ＣＡの間隔を隔ててこれら二つのカム角信号ｇのパルスを連続して受信したとき、後者のパルスの直後が第一気筒１の圧縮上死点であることが分かる。
【００５５】
すなわち、本実施形態の内燃機関は、クランクシャフトに付随するクランク角センサが、クランクシャフトが単位角度回転する毎にクランク角信号ｂを出力しつつ、クランクシャフトの特定の回転位相角においてはそのクランク角信号ｂを出力せずに欠損させるものであり、クランクシャフトに従動して回転し吸気バルブを開閉駆動するカムシャフトに付随するカム角センサが、カムシャフトが単位角度回転する毎に基本カム角信号ｇを出力することに加えて、カムシャフトの特定の回転位相角において追加カム角信号ｇを出力するものである。
【００５６】
本実施形態のＥＣＵ０は、停止している内燃機関の始動に際し、スタータモータによりクランクシャフトを回転駆動するクランキングを行い、かつそのクランキングの開始と略同時（クランキングの開始の直前、開始と同時または開始した直後）に、三気筒１の全てに一斉に燃料を噴射する非同期噴射を実施する。
【００５７】
そして、クランクシャフトの回転に伴い発生するクランク角信号ｂ及びカム角信号ｇを受信して、各気筒１の行程の判別を行う。各気筒１の行程の判別が完了したならば、気筒１毎に個別に燃料を噴射する同期噴射及び火花点火を開始する。内燃機関のクランキング中は、各気筒１毎に、排気上死点の直前のタイミングで同期噴射を実施するとともに、圧縮上死点の直後のタイミングで火花点火を実施する。
【００５８】
以下、本実施形態における始動時の気筒判別方法について説明する。
【００５９】
本実施形態において、ＥＣＵ０は、カム角信号ｇの検出個数を計数するカム角信号検出カウンタ部２１と、クランク角信号ｂの検出個数を計数するクランク角信号検出カウンタ部２２と、クランク角信号ｂに含まれるパルスの欠損に基づいて定められるタイミングでカム角信号検出カウンタ部２１の検出個数を参照して各気筒１の行程を判別する気筒判別部２３とを備えている。なお、図６〜図９では、各ケースにおけるカム角信号ｇの下方に上下２段の数列を記載している。上段（例えば、「正常なケース」におけるクランク角度０°ＣＡ付近に記載された「０、７、７、７、６、５、４、３、２、１、０」）は、前記クランク角信号検出カウンタ部２２によるカウントの一例を示している。一方、下段（例えば、「正常なケース」におけるクランク角度０°ＣＡ付近に記載された「０、１、１、１、１、１、１、１、１、１、０」）は、前記カム角信号検出カウンタ部２１によるカウントの一例を示している。
【００６０】
カム角信号検出カウンタ部２１は、プログラムに従い上記ハードウェア資源を作動し、カム角信号の検出個数に応じて「１」ずつ増加させるカウントを行う。
【００６１】
クランク角信号検出カウンタ部２２は、プログラムに従い上記ハードウェア資源を作動し、カム角信号ｇの検出を契機としてクランク角信号ｂの検出個数の計数を開始し、その計数しているクランク角信号ｂの検出個数が上限値に達した場合には前記カム角信号検出カウンタ部２１の検出個数をリセットしてクランク角信号ｂの計数を終了する。なお、このクランク角信号検出カウンタ部２２は、クランク角信号ｂの検出個数を計数している間にカム角信号ｇが検出されると、クランク角信号ｂの検出個数を所定数減じる。
【００６２】
具体的には、クランク角信号検出カウンタ部２２は、減数カウンタであり、カム角信号ｇの検出を契機として「７」からクランク角信号ｂの検出個数に応じて「１」ずつ減ずるカウントを行う。すなわち、本実施形態のクランク角信号検出カウンタ部２２では、カム角信号ｇの検出後、クランク角信号ｂを７回検出したら（クランク角信号ｂの検出個数が上限値である「７」に達する、換言すれば、クランク角信号ｂのカウンタ値が「０」となったら）、カム角信号検出カウンタ部２１の検出個数（「１」または「２」）をリセットして、クランク角信号ｂの計数を終了する。カム角信号ｇの検出個数及びクランク角信号ｂの検出個数がリセットされると、次にカム角信号ｇが検出されるまでクランク角信号ｂの計数は行われない。
【００６３】
さらに、本実施形態のクランク角信号検出カウンタ部２２は、クランク角信号ｂの検出個数を計数している間にカム角信号ｇが検出される場合に、クランク角信号ｂの検出個数を所定数（具体的には「３」）減ずるようにしている。図示例では、クランク角信号検出カウンタ部２２のカウンタ値を「３」増加させている。そのため、カム角信号ｇの検出を契機に「７」からカウントが開始され、次のカム角信号ｇの検出によって「３」カウント分戻されることとなる。
【００６４】
そして、本実施形態の気筒判別部２３は、クランク角信号ｂに含まれるパルスの欠損に基づいて定められるタイミングでカム角信号検出カウンタ部２１の検出個数を参照し、各気筒１の行程を判別する。このタイミングは、図６に二点鎖線で示しているように、半サイクルのうち２回到来し、具体的には、
・第１パターン：パルスの単独欠損（欠歯部分７６２に起因する三十五番目及び三十六番目のパルスの欠損）後９０°ＣＡのタイミング、
・第２パターン：パルスの連続欠損（欠歯部分７６１に起因する十七番目、十八番目及び二十番目、二十一番目のパルスの欠損）後３０°ＣＡのタイミング、
で気筒判別を行う。
【００６５】
なお、クランク角信号ｂのパルスの欠損を検出するためには、欠損したパルスの直前のパルスと直後のパルスとの間隔に等しい３０°ＣＡ分のパルス列をさらに受信することが必要である。故に、三十五番目及び三十六番目のパルスの欠損が検出されて気筒判別が完了するのは、クランク角信号ｂの三番目のパルスを受信した後である。また、十七番目、十八番目及び二十番目、二十一番目のパルスの欠損が検出されて気筒判別が完了するのは、クランク角信号ｂの二十四番目のパルスを受信した後である。
【００６６】
まず、第１パターンについて説明すれば、図７に示すように、クランキングの開始後、カム角信号ｇの検出を契機としてクランク角信号ｂの検出個数のカウントが開始され、その後に迎える気筒判別タイミングで、パルスの単独欠損が検出され、かつ、気筒判別部２３が参照するカム角信号検出カウンタ部２１の検出個数が「０」である場合には、第三気筒１の圧縮上死点前１５０°ＣＡのタイミングであることが判明する。さすれば、その後に訪れる第三気筒１の圧縮上死点のタイミング（そのタイミングは、クランク角信号ｂにより明らかとなる）で火花点火を実行し、非同期噴射された燃料に着火して燃焼させる膨張行程を営むことができる。
【００６７】
一方、同じ第１パターンであっても、図９に示すように、クランキングの開始後、カム角信号ｇの検出を契機としてクランク角信号ｂの検出個数のカウントが開始され、その後に迎える気筒判別タイミングで、パルスの単独欠損が検出され、かつ、気筒判別部２３が参照するカム角信号検出カウンタ部２１の検出個数が「１」または「２」である場合には、第一気筒１が圧縮上死点に到達する直前、具体的には第一気筒１の圧縮上死点前３０°ＣＡのタイミングであることが判明する。よって、その後に訪れる第一気筒１の圧縮上死点のタイミング（そのタイミングは、クランク角信号ｂにより明らかとなる）で火花点火を実行し、非同期噴射された燃料に着火して燃焼させる膨張行程を営むことができる。なお、第一気筒１が圧縮上死点に到達する直前タイミングを表す基本カム角信号ｇよりも先に追加カム角信号ｇが発生することから、気筒判別が点火タイミングに間に合い、当該圧縮上死点にて第一気筒１に点火することが可能となる。
【００６８】
次に、第２パターンについて説明すれば、図８に示すように、クランキングの開始後、カム角信号ｇの検出を契機としてクランク角信号ｂの検出個数のカウントが開始され、その後に迎える気筒判別タイミングで、パルスの連続欠損が検出され、かつ、気筒判別部２３が参照するカム角信号検出カウンタ部２１の検出個数が「１」である場合には、第三気筒１の圧縮上死点に到達したタイミングであることが判明する。このとき、第三気筒１にて火花点火を実行し、非同期噴射された燃料に着火して燃焼させる膨張行程を営むことができる。なお、第三気筒１の圧縮上死点のタイミングを表す基本カム角信号ｇが二十四番目のクランク角信号ｂ以前に検出される上、この二十四番目のクランク角信号ｂが第三気筒１の圧縮上死点近傍のタイミングにあることから、気筒判別が点火タイミングに間に合い、当該圧縮上死点にて第三気筒１に点火することが可能となる。
【００６９】
一方、同じ第２パターンであっても、図９に示すように、クランキングの開始後、カム角信号ｇの検出を契機としてクランク角信号ｂの検出個数のカウントが開始され、その後に迎える気筒判別タイミングで、パルスの連続欠損が検出され、かつ、気筒判別部２３が参照するカム角信号検出カウンタ部２１の検出個数が「０」である場合には、第二気筒１の圧縮上死点前１２０°ＣＡのタイミングであることが判明する。よって、その後に訪れる第二気筒１の圧縮上死点のタイミング（そのタイミングは、クランク角信号ｂにより明らかとなる）で火花点火を実行し、非同期噴射された燃料に着火して燃焼させる膨張行程を営むことができる。
【００７０】
ところで、このような内燃機関においては、例えば、各部品の設計のバラツキや、タイミングチェーン７４の伸び、また本実施形態のような可変バルブタイミング機構６を有したものであればカムシャフトの回転位相が一定のまま固着されてしまう、等の不具合が生じる可能性がある。このような場合には、カム角信号ｇが正常よりも進角側にずれたタイミングまたは遅角側にずれたタイミングで検出されることになる。例えば、図６〜図９では、以下の４つのケース、すなわち、
・理想的である「正常なケース」、
・進角側にずれた「進みのケース」（具体的には、上段に記載された＜可変バルブタイミング機構が最も進角した状態（４５°ＣＡ）で固着＋設計のバラツキ（１０°ＣＡ）あり＞、及び、下段に記載された＜可変バルブタイミング機構が最も進角した状態（４５°ＣＡ）で固着＋設計のバラツキ（１０°ＣＡ）あり＋制御遅れ（２０°ＣＡ）＞）、
・遅角側にずれた「遅れのケース」（具体的には、タイミングチェーンが伸びた状態（１０°ＣＡ）＋設計のバラツキ（１０°ＣＡ）あり）、
・遅角側に大きくずれた「悪化した遅れのケース」（具体的には、タイミングチェーンが伸びた状態（１０°ＣＡ）＋設計バラツキ（１０°ＣＡ）あり＋制御遅れ（２０°ＣＡ））
を示している。
【００７１】
これらのケースを比較してみると、本実施形態の制御装置たるＥＣＵ０によれば、カム角信号ｇの進角側へのずれや遅角側のずれに確実に対応できるようになっている。すなわち、「正常なケース」と異なる他のケース、特に従来問題となっていた「悪化した遅れのケース」においても、「正常なケース」と同じカム角信号検出カウンタ部２１の検出個数を得ることができる。そのため、図示した「進みのケース」、「遅れのケース」、「悪化した遅れのケース」のいずれであっても、「正常なケース」と同じ正確な気筒判別を行うことができ、次に点火すべき気筒１で燃焼が適切に行われることとなる。
【００７２】
しかして、本実施形態によれば、カム角信号ｇの検出タイミングに影響を与える要因の有無にかかわらず、内燃機関の始動に際し、各気筒１の行程判別を正確に行うことができ、最初の点火及び燃焼を確実に実施できるようになる。ひいては、クランキング期間の短縮に寄与し、燃費を向上させることができる。
【００７３】
なお、本発明は以上に詳述した実施形態に限られるものではない。
【００７４】
例えば、クランク角信号検出カウンタ部は、上述した減数カウンタには限られず、例えば、カム角信号の検出を契機として「１」からクランク角信号の検出個数に応じて「１」ずつ増加するカウントを行うトータルカウンタであってもよい。
【００７５】
上記実施形態における内燃機関はポート噴射式のものであったが、各気筒の燃焼室内に直接燃料を噴射する筒内噴射式の内燃機関の始動制御に本発明を適用することも可能である。
【００７６】
カム角センサは、排気バルブを回転駆動する排気カムシャフトに固設されたロータの回転を検出して基本カム角信号及び追加カム角信号を出力するものであってもよい。
【００７７】
可変バルブタイミング機構の具体的態様は任意であり、一意に限定されない。クランクシャフトに対する吸気カムシャフトの回転位相を液圧により進角／遅角させる態様のもの以外にも、吸気バルブを電磁ソレノイドバルブとしたものや、吸気バルブを開弁駆動する吸気カムを複数用意しておきそれらカムを適宜使い分けるもの、ロッカーアームのレバー比を電動モータで変化させるもの等が知られており、それら種々の機構の中から選択して採用することが許される。また、可変バルブタイミング機構を搭載しない内燃機関の制御に本発明を適用してももちろんよい。
【００７８】
その他各部の具体的構成は、本発明の趣旨を逸脱しない範囲で種々変形が可能である。
【産業上の利用可能性】
【００７９】
本発明は、車両に搭載される内燃機関の始動制御に用いることができる。
【符号の説明】
【００８０】
０…制御装置（ＥＣＵ）
２１…カム角信号検出カウンタ部
２２…クランク角信号検出カウンタ部
２３…気筒判別部
ｂ…クランク角信号
ｇ…カム角信号
【図１】
2015021385.tif 000003
【図２】
2015021385.tif 000004
【図３】
2015021385.tif 000005
【図４】
2015021385.tif 000006
【図５】
2015021385.tif 000007
【図６】
2015021385.tif 000008
【図７】
2015021385.tif 000009
【図８】
2015021385.tif 000010
【図９】
2015021385.tif 000011
【図１０】
2015021385.tif 000012